(57)【要約】【課題】熟練を要することなく、簡単に顔剃りを行う。【解決手段】頭部１１に固定した円板状の台座２０の第２の当接面２７には、４５度ごとに計８個の溝状の凹部ａ１〜ａ８（ａ２〜ａ４を図示）が形成されている。カセット替え刃４３を保持する回転ベース１２のねじ部は、頭部１１の取付け孔に挿通され、圧縮ばね４１を介してナット４２が螺合されている。回転ベース１２の第１の当接面３７には、凹部ａ１〜ａ８に係脱可能な凸部が突設されている。回転ベース１２は、凸部が凹部に係合されてホームポジションに配置されている。この状態から回転ベース１２を回転させ、凸部を他の凹部に係合させることで、カセット替え刃４３の刃先４６，４７，４８の向きを利用者が好適な向きに変更できる。【選択図】      図１
2005000195.tif 000002
【特許請求の範囲】
【請求項１】
着脱自在なカセット替え刃を装着し、柄部を手で握って使用するかみそりにおいて、
前記柄部に取り付けられた頭部と、
前記頭部によって回転自在に支持されるとともに、着脱自在なカセット替え刃が装着される回転ベースと、
前記回転ベースを前記頭部に対して所定の回転角度で位置決め固定する位置決め機構と、を備える、
ことを特徴とするかみそり。
【請求項２】
前記回転ベースは、前記柄部の長手方向に直交する方向の回転軸を有し、前記柄部の長手方向に平行な平面内で回転可能である、
ことを特徴とする請求項１に記載のかみそり。
【請求項３】
前記位置決め機構は、前記頭部を前記長手方向に直交する方向に貫通する取付け孔と、前記回転ベースにおける前記頭部との当接面である第１の当接面に突設されるとともに前記取付け孔に挿通されたねじ部と、前記ねじ部に螺合されたナットとを有し、前記ナットの弛緩状態において前記回転ベースの回転を許容し、また前記ナットの締結状態において前記回転ベースを前記頭部に固定する、
ことを特徴とする請求項１又は２に記載のかみそり。
【請求項４】
前記位置決め機構は、前記回転ベースの前記ねじ部における前記頭部と前記ナットとの間に介装されて、前記回転ベースの前記第１の当接面を、前記第１の当接面に接触する前記頭部側の第２の当接面に押圧する圧縮ばねを有する、
ことを特徴とする請求項３に記載のかみそり。
【請求項５】
前記位置決め機構は、前記回転ベース側の前記第１の当接面と、前記頭部側の前記第２の当接面とに、相互に係脱可能な係合部を有する、
ことを特徴とする請求項４に記載のかみそり。
【請求項６】
前記係合部は、前記第１の当接面と前記第２の当接面とのうちの一方に形成された複数の凹部と、他方に形成されて前記複数の凹部に係脱可能な凸部とを有する、
ことを特徴とする請求項５に記載のかみそり。
【請求項７】
前記複数の凹部は、前記第１の当接面と前記第２の当接面との一方に、前記回転ベースの回転中心を基準とした回転方向に沿っての異なる位置に形成されている、
ことを特徴とする請求項６に記載のかみそり。
【請求項８】
前記複数の凹部は、前記回転ベースの回転中心を基準として所定の回転角度ごとに形成されている、
ことを特徴とする請求項７に記載のかみそり。
【発明の詳細な説明】
【０００１】
【発明の属する技術分野】
本発明は、着脱自在なカセット替え刃を装着し、柄部を手で握って使用するかみそりに関する。
【０００２】
【従来の技術】
従来、例えば理容店において、客の顔剃りには、主に折り畳み式の長刃かみそりが使用されていた。このものは、柄部に収納された長刃を、柄部の一方の端部を中心に１８０度回転させるようにして引き出し、柄部を握って使用するものである。
【０００３】
ところで、この長刃かみそりは、うまく使いこなすには相当の熟練が必要であり、誰もが手軽に簡単に使用できるというものではなかった。
【０００４】
この点を改善したものとして、カセット替え刃を利用したものが知られている。
【０００５】
このかみそりは、柄部の先端から延びる頭部にカセット保持部を設け、このカセット保持部にカセット替え刃を、頭部と平行になるように取り付けて使用する。カセット替え刃は、例えば、１枚刃，２枚刃，３枚刃といったものがあり、いずれも刃先が長方形状のカセットの一方の長辺に向かって配置された、いわゆる片刃である。またカセット替え刃には、顔面に対する刃先の角度をほぼ一定に保持するための保護部が設けてある。このかみそりは、水平にして柄部に対して頭部が左側に位置するように柄部を右手で握った状態で、カセット替え刃の刃先を顔面に接触させると、刃先は下方を向く。この状態で、かみそりを上から下に動かすことで、顔面を上から下に向かって剃ることができる。
【０００６】
【発明が解決しようとする課題】
上述のカセット替え刃を利用したかみそりは、上述のように保護部が設けてあるので、特に熟練を要することなく比較的安全に使用することができる。
【０００７】
ところで、顔面は複雑に凸凹しており、また髭等は一方に傾斜して生えているために、かみそりで顔面を安全にうまく剃ろうとすると、刃先、したがって柄部を種々の向きに向ける必要がある。すなわち、手首の角度を微妙に変化させたり、上半身を不自然に傾斜させたりねじったりすることが必要となる。
【０００８】
このようにカセット替え刃を使用したかみそりは、前述の折り畳み式の長刃かみそりと比較して、例えば頬部のような単純な形状の部位を剃るには簡単に使用することができるようになるが、顔面の頬部以外の他の部位を良好に剃るには、長刃かみそりほどではないにしても、適度な習熟を必要とする。これは主に、柄部に対して刃先が平行に固定配置されていることに起因する。また、一般にかみそりにおいては、一般家庭で使用するカセット替え刃交換方式のかみそりのように、Ｔ字形、すなわち刃先が柄部に対して直角に配置されているほうが、力が入って深剃りが利くことが知られている。
【０００９】
そこで、本発明は、柄部に対して刃先の向きを任意に位置決めすることができるようにし、誰でも簡単に使用できるようにしたかみそりを提供することを目的とするものである。
【００１０】
【課題を解決するための手段】
請求項１に係る発明は、着脱自在なカセット替え刃を装着し、柄部を手で握って使用するかみそりにおいて、前記柄部に取り付けられた頭部と、前記頭部によって回転自在に支持されるとともに、着脱自在なカセット替え刃が装着される回転ベースと、前記回転ベースを前記頭部に対して所定の回転角度で位置決め固定する位置決め機構と、を備える、ことを特徴とする。
【００１１】
請求項２に係る発明は、請求項１に記載のかみそりにおいて、前記回転ベースは、前記柄部の長手方向に直交する方向の回転軸を有し、前記柄部の長手方向に平行な平面内で回転可能である、ことを特徴とする。
【００１２】
請求項３に係る発明は、請求項１又は２に記載のかみそりにおいて、前記位置決め機構は、前記頭部を前記長手方向に直交する方向に貫通する取付け孔と、前記回転ベースにおける前記頭部との当接面である第１の当接面に突設されるとともに前記取付け孔に挿通されたねじ部と、前記ねじ部に螺合されたナットとを有し、前記ナットの弛緩状態において前記回転ベースの回転を許容し、また前記ナットの締結状態において前記回転ベースを前記頭部に固定する、ことを特徴とする。
【００１３】
請求項４に係る発明は、請求項３に記載のかみそりにおいて、前記位置決め機構は、前記回転ベースの前記ねじ部における前記頭部と前記ナットとの間に介装されて、前記回転ベースの前記第１の当接面を、前記第１の当接面に接触する前記頭部側の第２の当接面に押圧する圧縮ばねを有する、ことを特徴とする。
【００１４】
請求項５に係る発明は、請求項４に記載のかみそりにおいて、前記位置決め機構は、前記回転ベース側の前記第１の当接面と、前記頭部側の前記第２の当接面とに、相互に係脱可能な係合部を有する、ことを特徴とする。
【００１５】
請求項６に係る発明は、請求項５に記載のかみそりにおいて、前記係合部は、前記第１の当接面と前記第２の当接面とのうちの一方に形成されて複数の凹部と、他方に形成された前記複数の凹部に係脱可能な凸部とを有する、ことを特徴とする。
【００１６】
請求項７に係る発明は、請求項６に記載のかみそりにおいて、前記複数の凹部は、前記第１の当接面と前記第２の当接面との一方に、前記回転ベースの回転中心を基準とした回転方向に沿っての異なる位置に形成されている、ことを特徴とする。
【００１７】
請求項８に係る発明は、請求項７に記載のかみそりにおいて、前記複数の凹部は、前記回転ベースの回転中心を基準として所定の回転角度ごとに形成されている、ことを特徴とする。
【００１８】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００１９】
＜実施の形態１＞
図１，図２に、本発明に係るかみそりの一例として、実施の形態１に係るかみそりを示す。このうち図１は全体の構成を示す斜視図であり、また図２は分解斜視図である。なお、図１には、かみそり１に装着されるカセット替え刃４３及びその刃先４６，４７，４８を二点鎖線で図示してある。
【００２０】
これらの図に示すように、かみそり１は、柄部１０と、この柄部１０に取り付けられた頭部１１と、この頭部１１によって回転自在に支持された回転ベース１２と、位置決め機構１３とを備えている。以下、柄部１０から順に説明する。
【００２１】
柄部１０は、利用者がかみそり１を使用する際に右手（以下では、利用者が右利きである場合を例に説明する。）で握る部分であり、本実施の形態では、掌の幅と同等かこれよりもわずかに長い棒状に形成されている。すなわち利用者が右手で握ったときにほぼ掌に収まる長さに設定されている。また、柄部１０は、長手方向に直交する方向の断面が角のとれた長方形状に形成されていて、使用時に利用者の手の中で不要に回転することを防止している。柄部１０の長手方向の一方の端部１４には、他方の端部１５に向かって挿入穴１６が形成されている。この挿入穴１６は、次に説明する頭部１１の一部である挿入部１７が挿入される部分である。柄部１０は、材質としては、例えば、軟質ゴム，硬質ゴム，プラスチック，木材等を使用することができる。特に、軟質ゴムは、滑り止めとしても作用するので材質として好適である。ただし、軟質ゴムを使用した場合には、強度が不足しがちになって、柄部１０が不要に湾曲するおそれがあるので、この場合には、上述の挿入穴１６を他方の端部１５近傍まで長く形成して、ここまで頭部１１の挿入部１７が進入するようにして不要な湾曲を防止することができる。さらには、柄部１０単体としては、ほぼまっすぐな棒状に形成し、挿入穴１６に挿入される後述の挿入部１７を、利用者の手に馴染むように積極的に湾曲させておけば、この挿入部１７を挿入穴１６に挿入したときに、柄部１０を挿入部１７に倣って湾曲させることが可能となる。なお、柄部１０は、積極的な取り外し動作に対しては、頭部１１から比較的容易に取り外すことができるように構成するとよい。このように構成することで、利用者にとって最適な形状、長さ等の柄部１０に簡単に交換することができる。
【００２２】
頭部１１は、全体としてはほぼ棒状に形成されている。頭部１１は、一方の端部側に挿入部１７を有し、他方の端部側にベース支持部１８を有し、さらにこのベース支持部１８には、円板状の台座２０が固定されている。図３（ａ），（ｂ），（ｃ），（ｄ）に、それぞれ頭部１１単体としての上面図，正面図，左側面図，右側面図を示す。
【００２３】
頭部１１の挿入部１７は、これらの図に示すように、長手方向に交差する方向の断面が、上述の柄部１０の挿入穴１６（図１，図２参照）のそれと同形に、すなわち長方形状に形成されている。挿入部１７は、上述の柄部１０に対しその端部１４側から他方の端部１５に向けて挿入されている。この断面形状が長方形状の挿入部１７は、図３（ｄ）に示すように、ベース支持部１８に対して傾斜角度（同図に示す例では４５度）を持って形成されている。このように傾斜角度をつけることにより、挿入部１７が挿入された状態の上述の柄部１０を利用者が右手で握ってかみそり１を使用する際に、後述のカセット替え刃４３の刃先４６，４７，４８が例えば顔面に対して最適な位置に配置されるようになっている。
【００２４】
頭部１１のベース支持部１８は、ほぼ丸棒状に形成されていて、台座２０が固定される取付け面２１が平面状に形成されている。またベース支持部１８の長手方向に沿っての、取付け面２１の両端側には、後述の回転ベース１２が回転する際の接触面となる摺動面２２，２３が平面状に形成されている。上述の取付け面２１には、ベース支持部１８を、その長手方向に直交する方向に貫通する取付け孔２４が穿孔されている。この取付け孔２４における、取付け面２１とは反対側の部分には、円柱状の座グリ２５が形成されている。
【００２５】
頭部１１の台座２０は、上述の取付け面２１に固定される。台座２０は、上述のように円板状に形成されていて、中心には、上述の取付け孔２４と同形の透孔２６が穿設されている。台座２０の表面は、平面状に形成されていて、後述の回転ベース１２が摺動する第２の当接面２７を形成している。この第２の当接面２７には、複数（本実施の形態では８個）の溝状の凹部ａ１〜ａ８が設けてある。凹部ａ１〜ａ８はその長手方向を第２の当接面２７の放射方向に向けた状態で、第２の当接面２７を周方向に等分（８等分）する位置にそれぞれ配置されている。つまり各凹部ａ１〜ａ８は、第２の当接面２７上に４５度ごとに形成されている。本実施の形態では、このように、８個の凹部ａ１〜ａ８が形成されていることに基づき、カセット替え刃４３の刃先４６，４７，４８は、後述のように４５度ごとに８通りの位置をとることができるようになっている。
【００２６】
回転ベース１２は、図４（ａ），（ｂ），（ｃ），（ｄ）にそれぞれ単体としての上面図，正面図，下面図，右側面図を示すように、カセット替え刃４３を保持するホルダ部３０と、このホルダ部３０から下方に突設されたねじ部３１とを有している。
【００２７】
回転ベース１２のホルダ部３０は、長方形の板状のベース板３２と、その一方の長辺の両端部にそれぞれ立設された保持爪３３，３４と、他方の長辺の中央部近傍に立設された保持爪３５，３６と、ベース板３２の裏面である第１の当接面３７に突設された凸部ｂ１，ｂ２とを有している。このうち保持爪３３，３４は、（ｄ）に示すように上下方向の中間部が外側に凸状となるように屈曲されている。一方、保持爪３５，３６は、その基端側に対して上端側がわずかに内側に位置するように傾斜されている。これら保持爪３３〜３６は、カセット替え刃４３の弾性を利用して、保持爪３３，３４と、保持爪３５，３６との間に、カセット替え刃４３を着脱可能に保持（挟持）するようになっている。ホルダ部３０の裏面の第１の当接面３７は、後述のように、頭部１１に対して回転ベース１２が回転する際に、前述の頭部１１の台座２０の第２の当接面２７に摺擦するものである。この第１の当接面３７には、２個の凸部ｂ１，ｂ２が下方に向けてほぼ半球状に突設されている。これら２個の凸部ｂ１，ｂ２は、第１の当接面３７の中心（次に説明するねじ部３１の回転中心）を基準としてそれぞれ点対称となる位置に形成されている。凸部ｂ１，ｂ２の、第１の当接面３７の中心からの距離は、前述の台座２０の溝状の凹部ａ１〜ａ８に係脱可能となるように設定されている。
【００２８】
回転ベース１２のねじ部３１は、上述のホルダ部３０の第１の当接面３７の中心から下方に突設されている。ねじ部３１は、頭部１１のベース支持部１８を貫通する上述の取付け孔２４にわずかな間隙を介して挿通されている。ねじ部３１の先端側は、上述の取付け孔２４及びこれに連続する座グリ２５からさらに下方に突出されている。
【００２９】
位置決め機構１３は、上述の頭部１１の取付け孔２４と、この取付け孔２４に挿通される上述の回転ベース１２のねじ部３１と、回転ベース１２の第１の当接面３７に突設された上述の凸部ｂ１，ｂ２と、上述の台座２０の第２の当接面２７に形成された複数の溝状の凹部ａ１〜ａ８と、次に説明する圧縮ばね４１及びナット４２とによって構成されている。このうち圧縮ばね４１は、図１，図２に示すように、上述の座グリ２５に配置されて、回転ベース１２のねじ部３１の先端側に挿着されている。ナット４２は、圧縮ばね４１よりもさらに先端側においてねじ部３１に螺合されている。すなわち圧縮ばね４１は、圧縮状態で頭部１１とナット４２との間に介装されることになり、回転ベース１２側の第１の当接面３７を、頭部１１側の第２の当接面２７に押圧している。このときの押圧力（当接力）は、ナット４２を締め込むことによって大きくなり、逆にナット４２を緩めることによって小さくなる。つまりナット４２に締め加減によって押圧力の大きさを調整することができるようになっている。
【００３０】
図５は、上述構成のかみそり１に装着されるカセット替え刃４３の一例を示す上面図である。カセット替え刃４３は、ほぼ直方体状に形成されていて、図５に示すように、上面視においては長辺ａ，ｂ、短辺ｃ，ｄを有する長方形状となっている。カセット替え刃４３の上部においては、それぞれの長辺ａ，ｂに沿って保護部４４，４５が設けられていて、これら保護部４４，４５の間に、例えば３枚の刃先４６，４７，４８が保護部４４，４５と平行に、かつ短辺方向の位置を少しずつずらしながら、下から順に上下に重なるようにして配置されている。そして各刃先４６，４７，４８の間にはわずかな間隙が設けられている。これら歯先４６，４７，４８は、一方の長辺ｂに向けて（図５中の上方に向けて）取り付けられており、全体として片刃となっている。なお、以下の説明で刃先４６，４７，４８の向きといった場合には、刃先４６，４７，４８から一方の長辺ｂに向かう方向、つまり矢印Ａ方向をいうものとする。この矢印Ａ方向は、かみそり１を使用する際の、刃先４６，４７，４８の移動方向と一致する。これに対してカセット替え刃４３の向きといった場合には、カセット替え刃４３の長手方向、つまり矢印Ｂ方向をいうものとする。カセット替え刃４３は、上述の刃先４６，４７，４８を有する替え刃（不図示）は金属性であり、他の部分はプラスチックによって形成されていて多少の弾性変形が可能である。
【００３１】
以上構成のかみそり１の作用・効果について説明する。なお、以下の説明では、説明の便宜上、柄部１０及び頭部１１に対して、回転ベース１２が図１に示す位置に配置されたとき、すなわち回転ベース１２のホルダ部３０に装着されたカセット替え刃４３の刃先４６，４７，４８の向きが図１に示す方向となったときを回転ベース１２（又はカセット替え刃４３）のホームポジションと決める。
【００３２】
まず、回転ベース１２をホームポジションに配置する。この状態では、頭部１１の台座２０の第２の当接面２７に形成されている８個の凹部ａ１〜ａ８のうちの凹部ａ１，ａ５に、回転ベース１２のホルダ部３０の第１の当接面３７に形成されている凸部ｂ１，ｂ２がそれぞれ係合されている。
【００３３】
カセット替え刃４３を回転ベース１２のホルダ部３０に装着する。ホルダ部３０の保持爪３３，３４をカセット替え刃４３の長辺ａのそれぞれの端部に係合させ、また保持爪３５，３６をカセット替え刃４３の裏面の一部（不図示）に係合させる。この係合は、カセット替え刃４３の弾性変形を利用して行われる。すなわち着脱動作には、カセット替え刃４３を弾性変形させるための比較的大きな力が必要あるが、装着後には、ホルダ部３０に対するカセット替え刃４３の不要な動きを確実に防止できるようになっている。
【００３４】
位置決め機構１３の一部を構成するナット４２を調整する。このナット４２を締め込むと圧縮ばね４１が縮められて頭部１１側の第２の当接面２７に対する回転ベース１２側の第１の当接面３７の押圧力が強くなるため、頭部１１に対して回転ベース１２を回転させる際に大きな力が必要となる。すなわち、第２の当接面２７の凹部ａ１，ａ５に係合されている第１の当接面３７の凸部ｂ１，ｂ２を、凹部ａ１，ａ５から外して凸部ｂ１，ｂ２を第２の当接面２７に摺擦させながら回転ベース１２を回転させるのに大きな力が必要となる。このことは、かみそり１の使用中には、頭部１１に対して回転ベース１２が不要に移動しにくいということを意味する。一方、ナット４２を緩めると圧縮ばね４１が伸びて第２の当接面２７に対する第１の当接面３７の押圧力が弱くなるため、頭部１１に対して回転ベース１２を回転させる際に小さな力で済む。すなわち、第２の当接面２７の凹部ａ１，ａ５に係合されている第１の当接面３７の凸部ｂ１，ｂ２を、凹部ａ１，ａ５から外して凸部ｂ１，ｂ２を第２の当接面２７に摺擦させながら回転ベース１２を回転させるのに大きな力は必要でない。このことはかみそり１の使用中に、頭部１１に対して回転ベース１２が不要に回転しやすいということを意味する。以上を踏まえて、ナット４３の締め付け力は、回転ベース１２を回転させるには比較的大きな力が必要となるが、凹部ａ１〜ａ８のうちの２個に凸部ｂ１，ｂ２を係合させて頭部１２を位置決めした後、つまりかみそり１の使用時には、頭部１１に対して回転ベース１２が不要に移動しないようにするのが安全上好ましい。
【００３５】
以上のようにしてホームポジションに配置された刃先４６，４７，４８は、頭部１１及び柄部１０に対してほぼ平行に配置されている。利用者は、例えば客の顔面を上から下に向かって剃りたい場合には、かみそり１の柄部１０を右手で握り、頭部が１１が柄部１０の左側に位置するようにしてかみそり１全体をほぼ水平にして刃先４６，４７，４８を客の顔面に当てる。このとき刃先４６，４７，４８は、下方を向いている。この状態でかみそり１を下方に移動させることで、顔を剃ることができる。一方、下から上に向かって剃りたい場合には、刃先４６，４７，４８を１８０度回転させて位置決めする。すなわち回転ベース１２を回転させ、第１の当接面３７の凸部ｂ１，ｂ２をそれぞれ第２の当接面２７の凹部ａ１，ａ５から外し、さらに回転ベース１２を回転させて、凸部ｂ１，ｂ２をそれぞれ凹部ａ５，ａ１に係合させて位置決めするのである。この状態で柄部１０を右手で水平に握って刃先４６，４７，４８を顔に当てると、刃先４６，４７，４８は上方を向く。この状態でかみそり１を上方に移動させることで、顔面を下方から右方に向かって剃ることができる。さらに例えば、回転ベース１２側の凸部ｂ１，ｂ２を、それぞれ頭部１１側の凹部ａ７，ａ３に係合させることにより、頭部１１及び柄部１０に対してカセット替え刃４３を直角に配置して刃先４６，４７，４８の向きを柄部１０側に向けることができる。この場合には、一般家庭で顔剃りに使用されるいわゆるＴ字形のかみそりとほぼ同形となり、顔剃りの際に力が入りやすい。本実施の形態に係るかみそり１は、頭部１１側の凹部ａ１〜ａ８に対して、回転ベース１２側の凸部ｂ１，ｂ２を係合させる凹部を代えることで、回転ベース１２を４５度ずつ回転した位置に位置決めすることができる。すなわち、はじめホームポジションにおいて凹部ａ１，ａ５に係合されていた凸部ｂ１，ｂ２を、順次４５度ずつ回転させて、凹部ａ２，ａ６、凹部ａ３，ａ７、凹部ａ４，ａ８、凹部ａ５，ａ１，凹部ａ６，ａ２、凹部ａ７，ａ３、凹部ａ８，ａ４に係合させることで、刃先４６，４７，４８の向きを４５度ごとに変更することができる。このように、利用者は、刃先４６，４７，４８の向きを、自身で使用しやすい位置に配置して使用することができるので、複雑に凹凸のある顔面を剃る場合でも、特に熟練を必要とすることなく、誰でも比較的簡単にかみそり１を良好に使用することができる。
【００３６】
以下、本発明に含まれる変形例について説明する。
【００３７】
以上の実施の形態では、頭部１１側の台座２０の第２の当接面２７に、台座２０を周方向に８等分する位置にそれぞれ１個ずつ、合計８個の凹部ａ１〜ａ８を設けた。本発明はこれに限定されるものではなく、凹部は複数であれば、２個、３〜７個、９個以上の任意の数とすることができる。これらの場合、凹部の位置は、台座２０を等分する位置でなくてもよい。さらに、上面図である図６（ａ），正面図である図６（ｂ）に示すように、台座２０の第２の当接面２７に、径方向に向けた凸部５０と凹部５１とを、周方向に交互に多数設け、第１の当接面３７にもこれに対応する多数の凹部と凸部（不図示）とを設けるようにしてもよい。この場合、これら凸部５０と凹部５１の、径方向に直交する方向の断面形状を例えば逆Ｖ字形、Ｖ字形に形成し、これら凸部５０及び凹部５１を小さく形成して全体に形成個数を多くすることにより、回転ベース１２をほぼ任意の回転角度で位置決め固定することが可能となる。さらにまた、第１，第２の当接面３７，２７に凸部と凹部とを設けるに代えて、これら第１，第２の当接面３７，２７を適度に粗い平面状、すなわち相互の静止摩擦係数μが高くなるように形成するようにしてもよい。この場合には、頭部１１に対して回転ベース１２を回転させる際には、圧縮ばね４１のばね力に抗して回転ベース１２を少し持ち上げて、第２の当接面２７と第１の当接面３７との間に隙間を設けた状態で回転ベース１２を任意の位置に回転させるようにするとよい。
【００３８】
また、上述の実施の形態では、頭部１１に円板状の台座２０を設けてその第２の当接面２７に凹部ａ１〜ａ８を設けたが、例えば、頭部１２に適宜に広い第２の当接面を直接確保できる場合には、台座２０を省略するようにして、その第２の当接面に直接、凹部ａ１〜ａ８を設けるようにしてもよい。
【００３９】
また、上述の実施の形態では、頭部１１側に凹部ａ１〜ａ８を形成し、回転ベース１２側に凸部ｂ１，ｂ２を形成するようにしたが、この逆に、頭部１１側に凸部を形成し、回転ベース１２側に凹部を形成するようにしてもよい。
【００４０】
また、凹部ａ１〜ａ８及び凸部ｂ１，ｂ２の形状については、上述のものに限らず、本発明の趣旨に沿って係脱できるものであれば、それぞれ任意の形状とすることができる。
【００４１】
また、上述の実施の形態における圧縮ばね４１は省略することも可能である。この場合には、回転ベース１２を回転させる際には、ナット１３を緩め、回転ベース１２を回転させて位置決めした後に、ナット１３を締めるようにすればよい。なお、圧縮ばね４１を設けることの利点としては、ナット１３を緩めたり締めたりすることなく、回転ベース１２を回転させて位置決めすることができる点、ナット４２をねじ部３１の軸方向に付勢してナット４２の緩みを防止する点などがあげられる。
【００４２】
また、回転ベース１２のホルダ部３０の構成、特に保持爪３３〜３６の形状や位置については、上述では一例を示すものであり、使用するカセット替え刃の形状に応じて適宜に変更するものとする。上述ではカセット替え刃４３が３枚刃であり、回転ベース１２は、このカセット替え刃４３を保持するために好適な形状となっているが、例えば１枚刃や２枚刃のカセット替え刃（不図示）をそれぞれ保持するのに好適な別の回転ベース１２を準備しておけば、回転ベース１２を交換するだけで、簡単に、他のカセット替え刃に対応することができる。図７に、２枚刃のカセット替え刃に使用する回転ベース５２を示す。同図に示す回転ベース５２は、長手方向に直交する方向の断面がほぼコ字形に形成されていて、その端部を外側に屈曲させて長手方向に沿ったガイドレール５３，５４が設けてある。裏面側には、図４に示す回転ベース１２のねじ部３１と同様のねじ部５５が突設されている。一方、２枚刃のカセット替え刃には、上述のガイドレール５３，５４に係脱可能なガイド溝（不図示）が形成されている。この回転ベース５５に２枚刃のカセット替え刃を取り付けるには、カセット替え刃の長手方向の一方の端部側からそのガイド溝に、ガイドレール５３，５４が係合するように回転ベース５２を長手方向にスライドさせるようにして取り付ける。取り外しは、この逆となる。
【００４３】
また、上述の実施の形態では、柄部１０と頭部１１を別の構成としたが、これらは一体に形成されていてもよいのはもちろんである。
【００４４】
なお、本発明に係るかみそりとしては、上述のように、替え刃が着脱自在なカセット替え刃であることに鑑み、カセット替え刃が装着されていない状態のものも、カセット替え刃が装着された状態のものも含むものとする。
【００４５】
【発明の効果】
以上説明したように、本発明によると、柄部に対してカセット替え刃の刃先の向きを任意の向きに変更して位置決めすることができるので、利用者は、例えば複雑に凹凸のある顔面の顔剃りを行う場合でも、特に熟練を必要とすることなく、誰でも比較的簡単に安全に顔剃りを行うことができる。
【図面の簡単な説明】
【図１】かみそり全体の斜視図である。
【図２】かみそりの分解斜視図である。
【図３】（ａ），（ｂ），（ｃ），（ｄ）は、この順に頭部単体の上面図，正面図，左側面図，右側面図である。
【図４】（ａ），（ｂ），（ｃ），（ｄ）は、この順に回転ベース単体の上面図，正面図，下面図，右側面図である。
【図５】カセット替え刃の上面図である。
【図６】（ａ），（ｂ）は、第１の当接面に形成された凹部の他の例を説明する上面図，正面図である。
【図７】２枚刃用の回転ベースを示す斜視図である。
【符号の説明】
１          かみそり
１０        柄部
１１        頭部
１２        回転ベース
１３        位置決め機構
２４        取付け孔
２７        第２の当接面
３１        ねじ部
３７        第１の当接面
４１        圧縮ばね
４２        ナット
ａ１〜ａ８  係合部（凹部）
ｂ１，ｂ２  係合部（凸部）
【図１】
2005000195.tif 000003
【図２】
2005000195.tif 000004
【図３】
2005000195.tif 000005
【図４】
2005000195.tif 000006
【図５】
2005000195.tif 000007
【図６】
2005000195.tif 000008
【図７】
2005000195.tif 000009